(57)【要約】【課題】画像信号の周期性から決まる周波数成分と印刷速度から決まる周波数成分とが重なった場合、放射ノイズが増大する。そのため、印刷処理速度に応じて放射ノイズの低減処理を行う必要がある。【解決手段】画像データの印刷速度に応じて、前記画像データに適用する間引きパターンを選択し、選択された間引きパターンを用いて前記画像データに間引き処理を行う処理手段を有し、前記選択は、間引きパターンの周期性に対する周波数が、前記印刷速度によって決まる印刷処理部への転送クロックの周波数の逓倍にならない間引きパターンが選択される。【選択図】  図４
2014117885.tif 000002
【特許請求の範囲】
【請求項１】
画像処理部と前記画像処理部から転送された画像データの信号を用いて印刷処理を行う印刷処理部とを有する印刷装置であって、
前記画像処理部は、
複数の間引きパターンを保持する保持手段と、
前記印刷処理部の印刷処理の速度に応じて、前記印刷処理部への画像データの信号の転送速度を決定する決定手段と、
前記複数の間引きパターンの中から前記画像データに適用する間引きパターンを選択する選択手段と、
前記選択手段にて選択された間引きパターンを用いて前記画像データへの間引き処理を行う処理手段と、
前記処理手段にて間引き処理が行われた画像データの信号を、前記決定手段にて決定された転送速度にて前記印刷処理部に転送する転送手段と、
を有し、
前記選択手段は、前記複数の間引きパターンのうち、間引きパターンの信号の周期性に対する周波数成分と、前記決定手段が決定した画像データの信号の転送速度の周波数成分の逓倍とが重畳しない間引きパターンを選択することを特徴とする印刷装置。
【請求項２】
前記印刷処理部における印刷処理の設定を受け付ける手段を更に有し、
前記印刷処理部は、前記印刷処理の設定に対応して印刷処理の速度を切り替え、
前記決定手段は、前記印刷処理の速度に対応して画像データの転送速度を決定することを特徴とする請求項１に記載の印刷装置。
【請求項３】
前記印刷処理の設定は、用紙の種類もしくは印刷モードの設定であることを特徴とする請求項２に記載の印刷装置。
【請求項４】
温度もしくは湿度の変化を検知する検知部を更に備え、
前記印刷処理部は、検知された温度もしくは湿度の変化に応じて印刷処理の速度を切り替え、
前記決定手段は、前記印刷処理の速度に対応して画像データの転送速度を決定することを特徴とする請求項１乃至３のいずれか一項に記載の印刷装置。
【請求項５】
前記複数の間引きパターンそれぞれの間引き量はいずれも同じであることを特徴とする請求項１乃至４のいずれか一項に記載の印刷装置。
【請求項６】
画像処理部と前記画像処理部から転送された画像データの信号を用いて印刷処理を行う印刷処理部とを有する印刷装置の制御方法であって、
前記画像処理部において、
保持手段が、複数の間引きパターンを保持する保持工程と、
決定手段が、前記印刷処理部の印刷処理の速度に応じて、前記印刷処理部への画像データの信号の転送速度を決定する決定工程と、
選択手段が、前記複数の間引きパターンの中から前記画像データに適用する間引きパターンを選択する選択工程と、
処理手段が、前記選択工程にて選択された間引きパターンを用いて前記画像データへの間引き処理を行う処理工程と、
転送手段が、前記処理工程にて間引き処理が行われた画像データの信号を、前記決定工程にて決定された転送速度にて前記印刷処理部に転送する転送工程と、
を有し、
前記選択工程において、前記複数の間引きパターンのうち、間引きパターンの信号の周期性に対する周波数成分と、前記決定手段が決定した画像データの信号の転送速度の周波数成分の逓倍とが重畳しない間引きパターンを選択することを特徴とする制御方法。
【請求項７】
コンピュータを、
複数の間引きパターンを保持する保持手段、
印刷処理部の印刷処理の速度に応じて、前記印刷処理部への画像データの信号の転送速度を決定する決定手段、
前記複数の間引きパターンの中から前記画像データに適用する間引きパターンを選択する選択手段、
前記選択手段にて選択された間引きパターンを用いて前記画像データへの間引き処理を行う処理手段、
前記処理手段にて間引き処理が行われた画像データの信号を、前記決定手段にて決定された転送速度にて前記印刷処理部に転送する転送手段、
として機能させ、
前記選択手段は、前記複数の間引きパターンのうち、間引きパターンの信号の周期性に対する周波数成分と、前記決定手段が決定した画像データの信号の転送速度の周波数成分の逓倍とが重畳しない間引きパターンを選択することを特徴とするプログラム。 
【請求項８】
画像データの印刷速度に応じて、前記画像データに適用する間引きパターンを選択する選択手段と、
前記選択手段によって選択された間引きパターンを用いて前記画像データに間引き処理を行う処理手段と
を有し、
前記選択手段は、間引きパターンの周期性に対する周波数が、前記印刷速度によって決まる印刷処理部への転送クロックの周波数の逓倍にならない間引きパターンが選択されることを特徴とする画像処理装置。
【請求項９】
画像データの印刷速度に応じて、前記画像データに適用する間引きパターンを選択する選択工程と、
前記選択工程にて選択された間引きパターンを用いて前記画像データに間引き処理を行う処理工程と
を有し、
前記選択工程では、間引きパターンの周期性に対する周波数が、前記印刷速度によって決まる印刷処理部への転送クロックの周波数の逓倍にならない間引きパターンが選択されることを特徴とする画像処理方法。
【請求項１０】
コンピュータを請求項８に記載の画像処理装置として機能させるためのプログラム。
【発明の詳細な説明】
【技術分野】
【０００１】
本発明は、印刷装置およびその制御方法、画像処理装置、画像処理方法、並びにプログラムに関する。
【背景技術】
【０００２】
電子写真技術を用いる印刷装置は、通常、パーソナルコンピュータ（以下、ＰＣ）などから入力される印刷対象のデータ（以下、印刷データ）を画像処理し、ラスタデータに変換する。その後、変換されたラスタデータは印刷装置内にある半導体レーザなどの光出力部に伝送される。光出力部では、受信した画像データの信号に従って、電子写真プロセスにより用紙などの記録材に所望の画像を現像し、印刷物が得られる。
【０００３】
ここで、ラスタデータを半導体レーザの光出力部に伝送する電気信号の転送速度は、印刷装置の印刷速度に応じて異なる。伝送する電気信号は、印刷データを画像処理した後のラスタデータの内容に応じてデジタル信号（“１”および“０”）にて構成される。そのため、ラスタデータの内容に応じてデジタル信号の電気的変化（“１”および“０”の切り替え）が発生し、その電気的変化に伴って、光出力部に伝送される電気信号からノイズが放射される。
【０００４】
放射ノイズは、各周波数に応じた電流値としてのノイズ値を持ち、そのノイズ値が大きい値を取ると、その放射ノイズを発生させている以外の電気信号に影響し、誤信号値を取る場合がある。例えば、“１”として判断されるべき電気信号が、放射ノイズの影響により、電気信号の電位が変化し、“１”と判断される範囲の電位よりも低い電位になる。その場合、この電気信号は“０”のデジタル信号として判断され、誤動作を引き起こす。電気信号に誤動作を引き起こさないようにするために、不要な放射ノイズを抑える必要がある。
【０００５】
特許文献１には、画像のエッジ部と非エッジ部を検出し、エッジ部の濃度は補正を行わず、非エッジ部の濃度を低濃度に補正することについて開示されている。
【先行技術文献】
【特許文献】
【０００６】
【特許文献１】特開平９−８５９９３号公報
【発明の概要】
【発明が解決しようとする課題】
【０００７】
特許文献１の技術では、濃度低減処理において、低減させる濃度によっては印刷装置の解像度の白黒ドットが繰り返す高周波のラスター画像データを発生させる可能性がある。また、ＰＷＭ三角波を使用した黒濃度低減処理では、ＰＷＭの調整方法によって解像度よりも小さなドットが続くラスター画像データとなる場合に白黒繰り返し周期が解像度の周期よりも高くなる可能性がある。
【０００８】
印刷データにおける周期性のある繰り返しデータを印刷処理する場合、一般に放射ノイズの電流値（エネルギー）が増大する。印刷装置における処理解像度及び処理速度に応じて、伝送する電気信号の転送速度は決定される。伝送する電気信号の転送速度の逓倍の周波数成分と、伝送する電気信号のデータの周波数成分とが重なった場合、その重なった周波数成分同士が共振し、その周波数成分の放射ノイズのエネルギーが増大する。
【０００９】
この結果、一般に画像信号による放射ノイズのエネルギーが大きいほど印刷装置から外部に放出されるノイズも大きくなる。
【００１０】
本発明は、印刷速度に応じた濃度低減処理を行うことで、電気信号に起因して発生する放射ノイズを抑えることを目的とする。
【課題を解決するための手段】
【００１１】
上記課題に鑑み、本発明の印刷装置は、以下の構成を有する。すなわち、画像処理部と前記画像処理部から転送された画像データの信号を用いて印刷処理を行う印刷処理部とを有する印刷装置であって、前記画像処理部は、複数の間引きパターンを保持する保持手段と、前記印刷処理部の印刷処理の速度に応じて、前記印刷処理部への画像データの信号の転送速度を決定する決定手段と、前記複数の間引きパターンの中から前記画像データに適用する間引きパターンを選択する選択手段と、前記選択手段にて選択された間引きパターンを用いて前記画像データへの間引き処理を行う処理手段と、前記処理手段にて間引き処理が行われた画像データの信号を、前記決定手段にて決定された転送速度にて前記印刷処理部に転送する転送手段と、を有し、前記選択手段は、前記複数の間引きパターンのうち、間引きパターンの信号の周期性に対する周波数成分と、前記決定手段が決定した画像データの信号の転送速度の周波数成分の逓倍とが重畳しない間引きパターンを選択する。
【発明の効果】
【００１２】
本発明により、印刷データと印刷装置の処理速度に応じて画像データの電気信号に起因して発生する電気的な放射ノイズのピークを抑えることができる。
【図面の簡単な説明】
【００１３】
【図１】実施例１の印刷装置のブロック図。
【図２】実施例１の間引きパターンの例を示す図。
【図３】実施例１の画像データの電気信号と印刷画像の関係を説明した図。
【図４】実施例１の間引きパターンの処理を示すフローチャート図。
【図５】実施例１の間引きパターンを選択するユーザーインターフェース例を示す図。
【図６】実施例１の間引きパターンの決定処理を示すフローチャート図。
【図７】実施例１の補正信号生成部の構成を示す構成図。
【図８】実施例１の選択される間引きパターンの例を示す図。
【図９】実施例２の印刷装置例のユーザーインターフェース例を示す図。
【発明を実施するための形態】
【００１４】
［実施例１］
（装置構成）
以下、本発明を実施するための形態について図面を用いて説明する。
【００１５】
図１に本発明の実施例１の印刷装置１のブロック図を示す。コントローラ部１０は、入力された画像データに対して各種処理を行う画像処理部（画像処理装置）である。コントローラ部１０は、ＰＣ等からの印刷指示（印刷ジョブ）を受け取り、印刷用の画像データをラスター画像データに変換し、印刷処理部１６に出力する。コントローラ部１０は、これらの動作をＣＰＵ（不図示）により統括的に制御する。
【００１６】
なお、印刷装置１の印刷指示はＰＣ等からの入力としているが、各種画像読取装置で読み取った画像データが入力されたことに応じて印刷処理を開始してもよい。印刷装置に画像読取装置が付加された複合機を用いてもよい。入力部１１は、ＰＣ等からの印刷指示を受け付け、ラスター画像データ生成部１２に印刷データを出力する。印刷データの入力Ｉ／Ｆは、ＬＡＮ（Ｌｏｃａｌ  Ａｒｅａ  Ｎｅｔｗｏｒｋ）のようなＮｅｔｗｏｒｋでもよいし、ＵＳＢ（Ｕｎｉｖｅｒｓａｌ  Ｓｅｒｉａｌ  Ｂｕｓ）でもよい。つまり、印刷データを入力できればいずれの本技術分野で知られた手法を用いることができる。
【００１７】
ラスター画像データ生成部１２は、入力部１１を介して入力される印刷データに基づいてラスター画像データを生成する。そして、ラスター画像データ生成部１２は、画像信号出力部１３と補正信号生成部１４とに画像データを出力する。画像信号出力部１３は、ラスター画像データ生成部１２から出力される画像データを補正信号生成部１４から出力される間引きパターンによる補正信号に応じて、画像データと間引きパターンとを合成する。そして、画像信号出力部１３は、合成された画像データを画像信号として印刷処理部１６に出力する。ここでの画像信号の転送速度については後述する。
【００１８】
補正信号生成部１４は、ラスター画像データ生成部１２で生成された画像データにおいて、エッジで囲まれた高濃度領域である黒領域の存在確認と、黒領域に対する濃度補正の要否とを判定する。例えば、黒領域のエッジ部は濃度補正を行わずに、エッジで囲まれた領域の全て、または、一部の領域を間引きパターンによる濃度補正処理を行う。そして補正信号生成部１４は、濃度補正が必要である場合、補正信号を生成し、画像信号出力部１３に補正信号を出力する。ここで、本実施例では黒領域について処理を行うが、これに限られず、高濃度で印刷される領域（例えば黒以外の色から構成される領域）は同様に対象として処理することができる。
【００１９】
印刷処理部１６は、画像信号出力部１３から出力された画像信号に基づいて画像形成を行い、印刷物を出力する。印刷処理部１６は、光出力部１５を備える。光出力部１５は、半導体レーザ（不図示）などから構成され、画像信号出力部１３から出力される画像信号を光出力に変換し、印刷処理部１６の感光ドラム（不図示）上にラスターイメージを形成する。
【００２０】
本実施例の印刷装置１の動作を以下に説明する。ラスター画像データ生成部１２は、入力部１１にて入力された印刷指示に対応する印刷データのラスター処理を行う。さらにラスター画像データ生成部１２は、補正信号生成部１４に印刷モードの情報を送る。印刷モードの情報は、印刷処理部１６にも送られる。印刷モードの情報に関しては後述する。
【００２１】
補正信号生成部１４は、印刷モードの情報に応じて選択される、特定の画像領域を含む間引きパターンを複数種類保持している。間引きパターンは、例えば図２に示すようなパターンからなり、特定の領域を持つウインドウ内に、特定のパターン列の画素データを配置したものである。補正信号生成部１４では、間引きパターンを複数種類備え、画像データの印刷モードの情報に応じて間引きパターンを切り替える。選択された間引きパターンのデータは、画像信号出力部１３に出力される。
【００２２】
次に、画像信号出力部１３は、ＶＳＹＮＣ信号、ＨＳＹＮＣ信号、およびＶＣＬＫ信号を印刷処理部１６へ転送する。ＶＳＹＮＣ信号は、印刷処理部１６へ出力する画像データに対して、その画像データが記録媒体（用紙）の副走査方向の同期信号である。ＨＳＹＮＣ信号は、用紙ページの主走査方向の主走査ラインの同期信号である。ＶＣＬＫ信号は、画像データを印刷処理部１６へ転送する転送クロックを示す。印刷処理部１６は、画像信号出力部１３に対して、印刷要求を示すＲＥＱ信号を転送する。
【００２３】
図３に上記の信号の関係を示す。ＲＥＱ信号は、印刷を行う画像データの転送要求を示す。ＲＥＱ信号は、印刷を行う印刷用紙毎にアクティブ（例えば“１”）に変化する。画像信号出力部１３は、ＲＥＱ信号がアクティブ状態の場合、印刷処理のための画像データをＶＳＹＮＣ信号およびＨＳＹＮＣ信号と同期して転送する。印刷処理部１６は、主走査ラインに対する同期信号であるＨＳＹＮＣ信号に基づいて、画像データの各主走査ラインに対する画像データの転送タイミングを判別することができる。印刷処理部１６は、副走査ラインに対する同期信号であるＶＳＹＮＣ信号に基づいて、画像データの副走査方向に対する用紙毎の画像データの転送開始タイミングを判別することができる。
【００２４】
（処理フロー）
次に、本実施例の印刷装置１における画像データの印刷モードに応じた画像データの出力動作を図４のフローチャートを参照して説明する。本処理フローは、印刷装置１のコントローラ部１０内のＣＰＵや電気回路によって実現される。
【００２５】
印刷装置１は、入力部１１を介して印刷ジョブを受信する（Ｓ１０１）。その際、入力部１１がユーザーに対して提供するユーザーインターフェース（以下、ＵＩ）から印刷モードが選択された場合、印刷装置１は、ラスター画像データ生成部１２を介して補正信号生成部１４に転送する（Ｓ１０２）。印刷モードが選択されない場合は、印刷装置１は、補正信号生成部１４に対して、予め決められた印刷モードの設定情報を指定する。なお、モード選択の詳細な処理については、図５、６を用いて後述する。
【００２６】
次に、印刷装置１は、印刷ジョブの内容に応じて、ラスター画像データ生成部１２にて画像処理を行い、ラスター画像データを生成する（Ｓ１０３）。印刷装置１は、補正信号生成部１４にて、間引きパターンを決定する（Ｓ１０４）。そして、印刷装置１は、ラスター画像データ生成部１２の印刷画像データの出力タイミングと、補正信号生成部１４の間引きパターンのデータの出力タイミングとが同期を取るようにして、画像信号出力部１３に送信する。印刷装置１は、画像信号出力部１３にて画像データと間引きパターンのデータとを合成し、印刷処理部１６に転送する（Ｓ１０５）。このとき、印刷装置１は、印刷モードのパラメータ値により印刷処理部１６の印刷処理速度が決定されるため、その印刷速度に合わせて画像信号出力部１３は画像データを転送する。
【００２７】
印刷装置１は、印刷処理部１６の光出力部１５にて画像信号出力部１３から送信された画像データを光出力に変換する。その後、印刷装置１は、感光ドラム（不図示）上にラスターイメージを形成し、そのラスターイメージを記録媒体に転写して印刷物として出力する（Ｓ１０６）。
【００２８】
（モード選択）
図５に印刷装置１の入力部１１における印刷モードの選択例を示す。図５に示した印刷モードの選択は、印刷装置１の入力部１１が提供するＵＩ５０１の表示から、印刷する用紙を選択する例を示している。図６に印刷モードの選択処理のフローを示す。
【００２９】
入力部１１は、印刷を行う際にユーザーに対してＵＩ５０１を表示する（Ｓ２０１）。入力部１１は、ユーザーからＵＩ５０１を介して、用紙の種類の選択を受け付ける（Ｓ２０２）。本実施例では、印刷用紙として、普通紙、コート紙、厚紙に区分された用紙が選択可能であるとする。入力部１１は、選択された印刷用紙に応じて、印刷モードを切り替える（Ｓ２０３）。
【００３０】
印刷モードには、印刷処理部１６で印刷処理の処理速度を示すパラメータが対応付けられる。例えば、印刷用紙として「普通紙」が選択されている場合、印刷処理の処理速度は６０ｐｐｍとする。ユーザーが印刷用紙の設定を普通紙から厚紙に変更した場合、入力部１１は印刷モードの処理速度のパラメータ値を２８ｐｐｍへ変更する。入力部１１は、用紙の種類の選択が完了後、印刷モードのパラメータ値を決定する（Ｓ２０４）。
【００３１】
入力部１１は、印刷用紙に応じて印刷モードを切り替えることで印刷処理の処理速度を変える。また、印刷処理部１６は、印刷用紙の印刷処理のため、不図示であるが、光出力部１５の他、ポリゴンミラー、感光ドラム、帯電器、定着器、ローラーベルト、およびヒーターを備える。ポリゴンミラーは、光出力部１５からの光出力を等角速度で回転しながら受けて感光ドラムに照射する。感光ドラムは、帯電器によって帯電され、感光ドラム上に形成された潜像をトナーによって現像する。その後、感光ドラム上のトナーは印刷用紙へと転写される。
【００３２】
印刷装置１は、印刷用紙に転写されたトナーをローラーベルトとヒーターの熱源を組み合わせて熱と圧力によって溶解し、印刷用紙に定着させる。印刷用紙の種類に応じて定着するための時間が変わり、そのため、一連の印刷処理の速度を変える必要がある。厚紙など種類によっては定着時間を普通紙に比べて長く取る必要がある。従って、光出力部１５からポリゴンミラーに照射する光出力のタイミングを遅く変更する。そのため、光出力部１５への画像信号出力部１３からの画像データの転送速度を遅く変更する必要がある。
【００３３】
すなわち、画像信号出力部１３からの印刷処理部１６への画像データの転送クロックＶＣＬＫの周波数を落とす。
【００３４】
（補正信号生成部）
図７に補正信号生成部１４の構成を示す。補正信号生成部１４は、パターンデータ選択部１４１およびパターンデータ保持部１４２を備える。パターンデータ保持部１４２は、印刷処理部１６での印刷処理の処理速度に対する画像データの転送クロックの周波数成分に応じた、間引きパターンのデータを保持する。間引きパターンは、放射ノイズを低減するためのパターン列で構成されている。
【００３５】
例えば、印刷用紙として普通紙が選択され、印刷処理の処理速度が６０ｐｐｍである場合、転送クロックＶＣＬＫは６２ＭＨｚと決定される。この場合、間引きパターンは、図８のパターンＡが用いられる。図８のパターンＡは、転送クロックＶＣＬＫ(６２ＭＨｚ)の逓倍ではない周波数のパターンである。また、印刷用紙として厚紙が選択され、印刷処理の処理速度が２８ｐｐｍである場合、転送クロックＶＣＬＫは３０ＭＨｚと決定される。この場合も、間引きパターンは、図８のパターンＡが用いられる。つまり、間引きパターンは、間引きパターンの信号の周期性に対する周波数成分と、転送クロックの周波数の逓倍とが重畳しないように選択される。
【００３６】
図８のパターンＡは、１４画素単位で周期性を有するパターン列になっており、転送クロックＶＣＬＫの１／１４周期の周期性を有する。そのため、パターンＡは、転送クロックＶＣＬＫの６２ＭＨｚの逓倍の周波数と異なる周波数成分のパターン列となる。間引きパターンのデータは、図８のパターンＡに示すように転送クロックＶＣＬＫの周波数に応じて異なり、転送クロックＶＣＬＫの周波数成分から発生されるノイズのピークを打ち消す周波数成分を有する。また、本実施例では、各間引きパターンそれぞれの間引き量はいずれも同じであるとする。
【００３７】
パターンデータ選択部１４１は、印刷モードの情報を受け取り、印刷モードに応じてパターンデータ保持部１４２に格納されている間引きパターンのデータを選択する。そしてパターンデータ選択部１４１は、選択した間引きパターンのデータを画像信号出力部１３へ出力する。
【００３８】
間引きパターンのデータは、印刷用紙の印刷対象となる領域に応じて繰り返し出力され、印刷対象となる領域全面または一部に間引きパターンのデータを反映させる。例えば、高濃度領域のエッジ部は間引きを行わずに、エッジ内部の数ラインのみ間引き処理を行ってもよい。
【００３９】
（画像信号出力部における処理）
次に画像信号出力部１３での処理を説明する。画像信号出力部１３は、ラスター画像データ生成部１２が生成した画像データと、補正信号生成部１４から出力された間引きパターンのデータとを合成する。画像信号出力部１３は、ラスター画像データの示す画像の開始位置と間引きパターンのデータの開始位置とが同じになるように、合成を行う。画像信号出力部１３は、合成した画像データを転送クロックＶＣＬＫに同期して印刷処理部１６へ送信する。
【００４０】
この間引きパターンを用いて間引きを行った画像データにより、転送クロックＶＣＬＫに依存した画像データからの電気信号線から発生する放射ノイズのピークを抑える。
【００４１】
以上説明したように、本実施例の放射ノイズのピークを低減することにより、従来必要とされた画像信号出力部１３の電気信号へのノイズフィルターや、電気信号線経路にノイズ遮蔽用板金を使用する必要がなくなる。
【００４２】
［実施例２］
実施例１では、印刷装置１の入力部１１にて表示されたＵＩ５０１から印刷用紙の選択をユーザーから受け付け、この設定に応じて印刷処理速度を切り替えている。そして、印刷装置１は、その印刷処理速度に応じて、補正信号生成部１４内部に用意した複数の間引きパターンの中から適切な間引きパターンを選択し、画像データに適用している。
【００４３】
実施例２では、印刷処理時に発生する印刷音を抑える消音モードと、通常の印刷処理を行う通常印刷モードの２モードを設ける。消音モードは、印刷時に発生する動作音を抑えるために、印刷処理部１６内の感光ドラム、ローラーベルト、定着器などの動作速度を落とす。それによって、印刷処理部１６での各装置からの動作音を抑えることができる。
【００４４】
以下、本発明の実施例２について、実施例１の形態との差分のみを説明する。
【００４５】
図９に、印刷装置１の入力部１１にて表示されるＵＩ９０１からの印刷モードの設定画面を示す。
【００４６】
消音モードが選択された場合、印刷装置１は、画像信号出力部１３からの印刷処理部１６への画像データの転送クロックＶＣＬＫの周波数を落とす。例えば、印刷モードが通常印刷モードの場合の印刷処理速度は１００ｐｐｍとする。一方、消音モードの場合の印刷処理速度は６０ｐｐｍとする。
【００４７】
補正信号生成部１４は、接続される印刷処理部１６の印刷処理速度の機能に応じて、複数の間引きパターンを用意する。通常印刷モードの場合の間引きパターンは、１００ｐｐｍの印刷処理速度に対するノイズ低減用のパターンを用意する。印刷モードが消音モードの場合の補正信号生成部１４の間引きパターンは、６０ｐｐｍの印刷処理速度に対するノイズ低減用の間引きパターンを用意する。
【００４８】
印刷モードの切り替えに伴って、印刷装置１の処理モードの仕様に応じて間引きパターンを切り替えることで、容易にノイズ低減処理を行うことが可能となる。
【００４９】
なお、補正信号生成部１４で保持されている間引きパターンは、予め印刷処理部１６の仕様毎に一意に決めたパターンでも良い。また、複数の間引きパターンを保持しておき、設定の組み合わせに対応して選択するようにしても構わない。また、仕様の異なる複数の印刷処理部が提供される場合には、各印刷処理部の仕様に応じて間引きパターンを保持するようにしても構わない。
【００５０】
他の実施例として、本願発明は、温度もしくは湿度を検知する検知部（センサ）を備え、検知した温度や湿度に応じて印刷処理の速度を切り替える印刷装置にも適用可能である。この場合、印刷装置は、温度や湿度の変化に伴う印刷処理の速度に応じて間引きパターンを切り替えることとなる。
【００５１】
［その他の実施形態］
また、本発明は、以下の処理を実行することによっても実現される。すなわち、上述した実施例の機能を実現するソフトウェア（プログラム）を、ネットワーク又は各種記憶媒体を介してシステム又は装置に供給し、そのシステム又は装置のコンピュータ（またはＣＰＵやＭＰＵ等）がプログラムを読み出して実行する処理である。また、本発明は、複数のプロセッサが連携して処理を行うことによっても実現できるものである。
【図１】
2014117885.tif 000003
【図２】
2014117885.tif 000004
【図３】
2014117885.tif 000005
【図４】
2014117885.tif 000006
【図５】
2014117885.tif 000007
【図６】
2014117885.tif 000008
【図７】
2014117885.tif 000009
【図８】
2014117885.tif 000010
【図９】
2014117885.tif 000011